(57)【要約】【課題】部品点数を低減し、取り付け位置の調整が可能な取付部材の取付構造を提供すること。【解決手段】壁面１００に取り付けられる収納棚１０の取付構造１であって、壁面１００に略水平方向に延びるように取り付けられるレール体２と、レール体２の内部に配置され、レール体２に沿って移動可能な連結部３と、収納棚１０におけるレール体２側の面から突出し、連結部３に連結される軸部４と、を有し、連結部３は、連結部３の内部に配置され、軸部４が連結される連結機構３３と、連結部３における収納棚１０側の面に配置され、軸部４が挿入される連結孔３１と、連結部３における収納棚１０側の面において連結孔３１に隣接して配置され、連結機構３３を操作するためのドライバーが挿入される操作孔３２と、を有する収納棚１０の取付構造１である。【選択図】図１
2018102754.tif 000002
【特許請求の範囲】
【請求項１】
壁面に取り付けられる取付部材の取付構造であって、
前記壁面に略水平方向に延びるように取り付けられるレール体と、
該レール体の内部に配置され、該レール体に沿って移動可能な連結部と、
前記取付部材における前記レール体側の面から突出し、前記連結部に連結される軸部と、を有し、
前記連結部は、
該連結部の内部に配置され、前記軸部が連結される連結機構と、
前記連結部における前記取付部材側の面に配置され、前記軸部が挿入される連結孔と、
前記連結部における前記取付部材側の面において前記連結孔に隣接して配置され、前記連結機構を操作するための工具が挿入される操作孔と、を有する取付部材の取付構造。
【請求項２】
前記操作孔は、前記連結部における前記取付部材側の面において偏芯して配置される請求項１に記載の取付部材の取付構造。
【請求項３】
前記連結部は、略円柱状である請求項１又は２に記載の取付部材の取付構造。
【請求項４】
前記レール体は、上下方向に離間して少なくとも２本取り付けられる請求項１〜３のいずれか１項に記載の取付部材の取付構造。
【請求項５】
前記取付部材は、前記２本のレール体に跨り、略鉛直方向に延びるように取り付けられる縦部材を含む請求項１〜４のいずれか１項に記載の取付部材の取付構造。
【請求項６】
前記取付部材は、収納棚を構成する請求項１〜５のいずれか１項に記載の取付部材の取付構造。
【発明の詳細な説明】
【技術分野】
【０００１】
本発明は、取付部材の取付構造に関し、特に、壁面等の平坦な面に取付部材を取り付ける取付構造に関する。
【背景技術】
【０００２】
従来、建物の壁面等に収納棚を設置する際に、壁面にレール体を取り付けて、このレール体の内部を摺動する部材と、収納棚の棚側部とを連結することが知られている。例えば、レール体内に壁面から突出する方向に延びる軸部を配置し、棚側部における軸部に向き合う面に、軸部を挿入する連結孔が設けられる。また、棚側部の側面において連結孔に直交する方向に、孔に挿入された軸部を固定するように、ドライバーを挿入して操作するための操作孔が配置される。そして、軸部を連結孔に挿入した状態で、ドライバーを操作孔に挿入して操作することにより、棚を構成する部材をレール体に取り付ける技術が提案されている（例えば、特許文献１参照）。
【先行技術文献】
【特許文献】
【０００３】
【特許文献１】特開２００６−３１４５６５号公報
【発明の概要】
【発明が解決しようとする課題】
【０００４】
収納棚を部屋の隅に配置する場合、収納棚を設置する壁面と、この壁面に垂直な方向に延びる壁面が交わる角部での作業が必要になることがある。このような場合に、壁面側から突出する軸部を棚側部の連結孔に挿入して、連結孔に直交する側面側から軸を固定する作業を行おうとすると、収納棚を設置する壁面に垂直な壁面にぶつかってしまい、作業スペースが確保できない場合がある。このため、収納棚の左右の側壁に応じて右用及び左用の棚を構成する部材を用意する必要が生じていた。
【０００５】
また、収納棚の棚側部に形成した孔に、レール体から突出する軸部を挿入して固定する場合、棚側部の取り付け位置は、レール体の位置により規定されてしまう。このため、棚側部の取り付け位置を自在に調整することは難しかった。
【０００６】
本発明は、部品点数を低減し、取り付け位置の調整が可能な取付部材の取付構造を提供することを目的とする。
【課題を解決するための手段】
【０００７】
上記目的を達成するため本発明は、壁面（例えば、後述の壁面１００）に取り付けられる取付部材（例えば、後述の収納棚１０）の取付構造（例えば、後述の収納棚の取付構造１）であって、前記壁面に略水平方向に延びるように取り付けられるレール体（例えば、後述のレール体２）と、該レール体の内部に配置され、該レール体に沿って移動可能な連結部（例えば、後述の連結部３）と、前記取付部材における前記レール体側の面から突出し、前記連結部に連結される軸部（例えば、後述の軸部４）と、を有し、前記連結部は、該連結部の内部に配置され、前記軸部が連結される連結機構（例えば、後述の連結機構３３）と、前記連結部における前記取付部材側の面に配置され、前記軸部が挿入される連結孔（例えば、後述の連結孔３１）と、前記連結部における前記取付部材側の面において前記連結孔に隣接して配置され、前記連結機構を操作するための工具（例えば、後述のドライバー）が挿入される操作孔（例えば、後述の操作孔３２）と、を有する取付部材の取付構造を提供する。
【０００８】
前記操作孔は、前記連結部における前記取付部材側の面において偏芯して配置されることが好ましい。
【０００９】
前記連結部は、略円柱状であることが好ましい。
【００１０】
前記レール体は、上下方向に離間して少なくとも２本取り付けられることが好ましい。
【００１１】
前記取付部材は、前記２本のレール体に跨り、略鉛直方向に延びるように取り付けられる縦部材（例えば、後述の棚側部１１）を含むことが好ましい。
【００１２】
前記取付部材は、収納棚を構成することが好ましい。
【発明の効果】
【００１３】
本発明によれば、部品点数を低減し、取り付け位置の調整が可能な取付部材の取付構造を提供することができる。
【図面の簡単な説明】
【００１４】
【図１】本実施形態の収納棚の取付構造を示す図である。
【図２】本実施形態の収納棚の取付構造を示し、（ａ）図は部分斜視図であり、（ｂ）図は（ａ）図の部分断面図である。
【図３】本実施形態の連結部を示し、（ａ）図は連結部の正面図であり、（ｂ）図は連結部を正面視左側から固定する場合、（ｃ）図は連結部を正面視右側から固定する場合を示す。
【図４】本実施形態の連結部を示し、（ａ）図は、収納棚の棚側部の上面とレール体の上面とが面一に配置されている状態、（ｂ）図は、収納棚の棚側部の上面がレール体の上面より上に位置するように連結部が調整された状態を示す。
【図５】他の実施形態における取付部材の取付構造を示す図である。
【図６】さらに他の実施形態における取付部材の取付構造を示す図である。
【図７】さらに他の実施形態における取付部材の取付構造を示す図である。
【図８】さらに他の実施形態における取付部材の取付構造を示す図である。
【発明を実施するための形態】
【００１５】
以下、本発明の実施形態について、図面を参照しながら詳しく説明する。
図１は、本実施形態の収納棚の取付構造１を示す図である。図２（ａ）は収納棚の取付構造１の部分斜視図であり、図２（ｂ）は図２（ａ）の部分断面図である。
図１に示すように、収納棚の取付構造１は、壁面１００と、取付部材としての収納棚１０と、レール体２と、連結部３（図２参照）と、軸部４（図２参照）と、を有する。
【００１６】
壁面１００は、建物の室内の壁等の平らな面である。図１に示すように、壁面１００の端部において、この壁面１００に交差する方向に壁面１０２が延び、角部を形成している。
【００１７】
レール体２は、壁面１００に略水平方向に延びるように取り付けられる。レール体２は、上下方向に離間して少なくとも２本、壁面１００に取り付けられる。図１では、レール体２は、壁面１００の左右方向の一端から他端へ延びる長いレール体２ａが１本と、長いレール体２ａの半分の長さの短いレール体２ｂが長いレール体２の一方と他方側に上下方向段違いに配置されている。レール体２は、図２（ａ）、（ｂ）に示すように、断面視が略コの字状で内側に溝が形成されている。
【００１８】
収納棚１０は、壁面１００に取り付けられ、棚側部１１及び棚板部１２を有する。
図１に示すように、収納棚１０は、長棚１０ａ及び短棚１０ｂを含んで構成されている。長棚１０ａは、壁面１００の一方側に配置され、床１０１側から天井側まで上下方向に延びる。短棚１０ｂは、床１０１から上方に離間した位置から天井側まで延びる。
【００１９】
棚側部１１は、図１に示すように、壁面１００から突出する方向に配置される枠体で形成される。棚側部１１は、２本のレール体２に跨って略鉛直方向に延びるように取り付けられる収納棚１０の縦部材である。また、棚側部１１は、壁面１００の左右方向に離間して複数配置される。棚側部１１は、長棚１０ａの側部に配置される上下方向に長い棚側部１１ａと、短棚１０ｂの側部に配置される上下方向に短い棚側部１１ｂとを含んで配置されている。
棚板部１２は、収納棚１０のうち棚側部１１で区切られる区画の底面を構成する板面である。棚板部１２は、棚側部１１の間に板材を渡して固定することで構成される。
【００２０】
軸部４は、図２（ａ）及び（ｂ）に示すように、収納棚１０における棚側部１１のレール体２側の面に取り付けられ、棚側部１１から壁面１００に向かって突出する軸状の部材である。図２（ｂ）に示すように、軸部４は、長手方向の一方側の周囲には、ねじが刻まれて棚側部１１の内部に埋め込まれている。また、軸部４は、長手方向の他方側に形成される溝部４１を有する。軸部４の他方側は、複数の軸の直径が大きな部分と小さな部分を有して形成されており、溝部４１は、直径の大きな部分の同士の間に配置される直径の小さな部分により形成される。
【００２１】
図３（ａ）は、連結部３の正面図である。
連結部３は、レール体２と棚側部１１とを軸部４を介して連結する部材である。図３に示すように、連結部３は、正面視略円形状であり、軸部４に向き合う面を表面３ａ、レール体２側の面を裏面３ｂとする。連結部３は、本体部３０と、連結孔３１と、操作孔３２と、連結機構３３と、を有する。
【００２２】
本体部３０は、図２（ａ）及び（ｂ）に示すように略円柱状の形状を有し、コの字状のレール体２の内部に配置されて、レール体２に沿って内部を移動する。本体部３０は、略円柱状であるため、レール体内で回転することも可能である。
【００２３】
連結孔３１は、本体部３０の表面３ａ（収納棚１０側を向く面）に形成され、軸部４が挿入される孔である。連結孔３１は、軸部４の直径に対応する径を有し、表面３ａ側から裏面３ｂ側に向かって延びている。
【００２４】
操作孔３２は、本体部３０の表面３ａに、連結孔３１に隣接して配置される。操作孔３２は、表面３ａにおいて偏芯して配置されており、連結孔３１の延びる方向に対して斜めに延びている。具体的には、連結部３の表面３ａ側から裏面３ｂ側へ進むに従って、連結孔３１から離間した位置から連結孔３１へ近づくように延びている。操作孔３２には、工具としてのドライバー（図示せず）が挿入される。
【００２５】
連結機構３３は、連結部３の内部に配置される。具体的には、連結機構３３は、操作孔３２の底部、すなわち操作孔３２の裏面３ｂ側寄りに配置される螺旋状に傾斜した回転体である。図３（ａ）に示すように、連結機構３３の上面には、連結機構３３を操作するためのドライバーを受ける溝が形成されており、操作孔３２の正面から視認される。連結機構３３は、操作孔３２にドライバーを挿入して回転させると、回転体に形成された螺旋状の突起が軸部４の溝部４１に係合し、軸部４が連結部３に連結されるように構成されている。
【００２６】
次に、図１〜図４（ｂ）を参照して、収納棚１０の取り付け方法について説明する。
図１に示すように、まず、レール体２を壁面１００にねじ等で固定する。このとき、収納棚１０の高さに応じて、レール体２を壁面１００の下方及び上方に離間させ、少なくとも２本固定する。また、レール体２は、壁面１００の裏に配置されている間柱１０３に壁面１００を介して固定する。
【００２７】
図２（ａ）及び（ｂ）に示すように、レール体２の内部には、円柱状の連結部３が摺動可能に配置されている。そこで、レール体２上で棚側部１１を取り付けたい位置に、連結部３を移動させる。そして、連結部３の連結孔３１に棚側部１１から突出する軸部４を挿入する。
【００２８】
ここで、図１に示す収納棚１０の左右方向中ほどにある位置に棚側部１１を取り付ける場合は、どちらの側からもドライバーを操作孔３２に挿入する作業スペースが確保できるが、壁面１００の角の方に取り付ける場合、収納棚１０を設置する壁面１００に直交する側に延びる壁面１０２側では作業スペースが狭い。
【００２９】
図３（ｂ）は、連結部を正面視左側から固定する場合、及び図３（ｃ）は連結部を正面視右側から固定する場合を示す。図３（ｂ）及び（ｃ）に示すように、連結部３はレール体２内で摺動可能であり、また、円柱状であるため、連結孔３１に軸部４を挿入した状態で、操作孔３２が正面視左側から見えるようにも、正面視右側から見えるようにも移動させることができる。
【００３０】
この状態で、操作孔３２にドライバーを差し込み、回転させる。すると、ドライバーを回転させることで操作孔３２の底部に配置されている連結機構３３が回転して、軸部４の溝部４１に係合し、軸部４が連結機構３３の回転に従って連結部３に引き寄せられるように近づき、固定される。軸部４が連結部３に固定されることに伴って、棚側部１１が、レール体２に当接する。棚側部１１は、摩擦の力でレール体２に対して左右方向に動くことなく固定される。
【００３１】
また、図４（ａ）は、収納棚１０の棚側部１１の上面とレール体２の上面とが面一に配置されている状態、図４（ｂ）は、収納棚１０の棚側部１１の上面がレール体２の上面より上に位置するように連結部３が調整された状態を示す。
図４（ａ）に示すように、収納棚１０を構成する部品が全体的に正確に配置されている場合、レール体２の上面と棚側部１１の上面とは面一になって揃っている。しかし、実際には、部品の製造公差、施工誤差、施工する壁面１００に生じている歪み等の様々な要因で、わずかに部品同士の位置がずれる場合がある。このようなとき、図４（ｂ）に示すように、操作孔３２の位置を連結孔３１に対して下方にずらせば、棚側部１１の上面がレール体２よりもわずかに上方へ持ち上がる。また、操作孔３２の位置を連結孔３１に対して上方にずらせば、棚側部１１の上面がレール体２よりもわずかに下方へ下がる。このように、棚側部１１の位置の微調整が可能になる。
【００３２】
本実施形態によれば、以下の効果が奏される。
本実施形態では、壁面１００に取り付けられる収納棚１０の取付構造１を、壁面１００に略水平方向に延びるように取り付けられるレール体２と、レール体２の内部に配置され、レール体２に沿って移動可能な連結部３と、収納棚１０におけるレール体２側の面から突出し、連結部３に連結される軸部４と、を含んで構成した。また、連結部３を、連結部３の内部に配置され、軸部４が連結される連結機構３３と、連結部３における収納棚１０側の面に配置され、軸部４が挿入される連結孔３１と、連結部３における収納棚１０側の面において連結孔３１に隣接して配置され、連結機構３３を操作するためのドライバーが挿入される操作孔３２と、を含んで構成した。
本実施形態によれば、軸部４を収納棚１０における棚側部１１のレール体２側の面から突出させて、レール体２内の連結部３に挿入するようにした。そして、連結部３の収納棚１０側の面（表面３ａ）に連結孔３１と、連結孔３１に隣接する操作孔３２とを設けた。これにより、連結孔３１に軸部４を挿入した状態で、作業者が壁面１００及びレール体２に向かい合った位置で、操作孔３２にドライバーを挿入して操作することができる。よって、壁面１００の角部近くで作業スペースが狭くても、連結孔３１に隣接する操作孔３２にドライバーを差し込んで固定作業を行うことができる。また、壁面１００の角部に収納棚１０を設置する場合、左右どちらからでも作業をすることができるので、右用、左用等の部品を製造する必要がなく、部品点数を低減することができる。
また、棚側部１１のレール体２側の面に設けた軸部４をレール体２の連結部に連結するように構成したので、棚側部１１に取り付ける軸部４の位置を変更したり、連結部の傾きを変えることで、レール体と棚側部１１との位置関係を変更することが容易になり、取り付け位置の調整が容易になる。
【００３３】
操作孔３２を、連結部３における収納棚１０側の面において偏芯して配置させた。このため、ドライバーを連結孔３１に隣接した位置から斜めに挿入することができる。また、連結部３の操作孔３２の位置を変更すれば、棚側部１１の左側からでも、右側からでも容易にドライバーを挿入することができる。さらに、操作孔３２の位置を、連結孔３１に対してやや下方に配置した状態で、ドライバーを操作して連結部３と軸部４を固定させると、棚側部１１がレール体２よりも上方に持ち上がった状態で固定される。また、操作孔３２の位置を、連結孔３１に対してやや上方に配置した状態で、ドライバーを操作して連結部３と軸部４を固定させると、棚側部１１がレール体２よりも低い位置で固定される。こうして、棚側部１１の高さを微調整することができる。
【００３４】
連結部３を、略円柱状に構成した。これにより、連結部３がレール体２内を容易に摺動するだけでなく、連結部３を回転させることで操作孔３２の位置を変更させることができる。このため、作業者が壁面１００及びレール体２に向き合った状態で、棚側部１１の左側からでも右側からでも軸部４を連結部３に固定させる作業を行うことができ、上記と同様の効果を奏する。
【００３５】
レール体２を、上下方向に離間して少なくとも２本取り付けた。２本以上取り付けることで、収納棚１０壁面１００のみで支持させて取り付けることが可能になる。よって、収納棚１０を床１０１に直接取り付ける必要がなくなる。すなわち、床１０１から浮いた位置のいわゆるフロート取り付けや、吊戸式の取り付けが可能になる。また、床１０１に床暖房が設置されている場合でも取り付けることができる。また、リフォーム等で部屋等の間口の位置を変更することがあっても、床１０１にねじ穴等を形成しないで取り付けることができるため、変更に対応がしやすい。
【００３６】
収納棚１０を、２本のレール体２に跨り、略鉛直方向に延びるように取り付けられる縦部材である棚側部１１を含んで構成した。この構成によれば、棚側部１１の上下方向の任意の位置に軸部４を設けて、レール体２に対する収納棚１０の高さを自在に変更することができる。収納棚１０を配置する部屋等の環境的な要請に応じて、収納棚１０の取り付け位置を自由に変更及び設計することができる。
【００３７】
取付部材を、収納棚１０により構成した。これにより、壁面１００の角部等でも棚側部の設置が容易にでき、上記と同様の効果を奏する。
【００３８】
次に、図５〜図８を参照して、他の実施形態について説明する。
図５は、取付部材として手すり５を壁面１００に取り付けた部材の取付構造１Ａを示す斜視図である。
図５に示す実施形態では、手すり５とレール体２とを連結する部分５１に、上記説明した軸部４を配置し、この軸部４をレール体２内の連結部３と連結した。これにより、上記と同様の効果を奏することができる。
【００３９】
例えばリフォームの際等に、手すり５や棚等の構造物を壁面１００に取り付けようとする場合、取り付ける構造物を支持する支持部材を壁の内部に設置しなければならないため、壁面１００を剥がさなくてはならなかった。しかし、レール体２は、壁面１００を介して間柱１０３に取り付けることが可能なので、壁面１００を破壊して支持部材を設置する必要がない。また、予めレール体２のみを取り付けておいたり、最初はレール体２に収納棚等を取り付けておき、手すり５の設置が必要になった時期に、手すり５に付け替えることも可能になる。
【００４０】
図６は、取付部材として開口した収納ボックス６を壁面１００に取り付けた部材の取付構造１Ｂを示す斜視図である。
図６に示す実施形態では、収納ボックス６の裏面に、上記説明した軸部４を配置し、この軸部４をレール体２内の連結部３と連結した。これにより、上記と同様の効果を奏することができる。レール体２に取り付ける取付部材の上端部が、壁面１００においてレール体２の位置よりも高い位置にくる収納ボックス６であっても、収納ボックス６の裏面の軸部４の取り付け位置を変更することで、問題なく取り付けることができる。
【００４１】
図７は、取付部材として化粧パネル７を壁面１００に取り付けた部材の取付構造１Ｃを示す斜視図である。
図７に示す実施形態では、化粧パネル７の裏面に、上記説明した軸部４を配置し、この軸部４をレール体２内の連結部３と連結した。これにより、上記と同様の効果を奏することができる。また、レール体２を配置しないで化粧パネル７を取り付ける場合、化粧パネル７の固定位置は、間柱１０３のある位置に限定されていた。しかし、レール体２に連結部３を介して化粧パネル７を連結するようにすることで、化粧パネル７の固定位置をレール体２上で自由に位置決めすることができる。
なお、化粧パネル７としては、装飾的な模様の壁面を模したパネルや、広告パネルであってよい。また、板材を包んで内部にクッション材を詰めたもので、キッズルームやスポーツジム等に配置して衝撃を吸収する壁を構成してもよい。
【００４２】
図８は、取付部材として吊り戸（アウトセット引き戸）の戸体８を壁面１００に取り付けた部材の取付構造１Ｄを示す斜視図である。
図８に示す実施形態では、出入口の開口部１０４の上縁にレール体２を配置し、開口部よりもわずかに上下方向の寸法が大きな戸体８の上端側の裏面に、上記説明した軸部４を配置し、この軸部４をレール体２内の連結部３と連結した。これにより、上記と同様の効果を奏することができるとともに、容易に引き戸等の開口部の開閉装置を形成することができる。
【００４３】
なお、本発明は上記実施形態に限定されるものではなく、本発明の目的を達成できる範囲での変形、改良等は本発明に含まれる。
例えば、上記実施形態では、縦部材である棚側部１１は枠体であるが、これに限られない。上下方向に延びる棒状の縦部材を、２本のレール体２に跨るとともに、左右方向に離間して１本ずつ配置し、この縦部材に複数の収納棚を引っ掛けるような形で取り付けてもよい。
【符号の説明】
【００４４】
１      収納棚の取付構造（取付部材の取付構造）
２      レール体
３      連結部
４      軸部
１１    棚側部（縦部材）
３１    連結孔
３２    操作孔
３３    連結機構
１００  壁面
【図１】
2018102754.tif 000003
【図２】
2018102754.tif 000004
【図３】
2018102754.tif 000005
【図４】
2018102754.tif 000006
【図５】
2018102754.tif 000007
【図６】
2018102754.tif 000008
【図７】
2018102754.tif 000009
【図８】
2018102754.tif 000010